(57)【要約】【課題】  スプール軸に対してスプールが回り止めされた状態においてはスプール軸に対するスプールの軸方向位置が安定し、釣糸巻取操作や釣糸放出操作を確実且つ円滑に行なうことができる魚釣用スピニングリールの提供を目的としている。【解決手段】  本発明の魚釣用スピニングリール１は、スプール軸１３の前方に設けた支持部としての位置決め部材２０の前部にスプール１０を止め回りするための回り止め係止部２２ａを形成し、この回り止め係止部２２ａをスプール１０の内側基部に形成した係合部２３に係合可能とするとともに、回り止め係止部２２ａと係合部２３とを常時離間する方向に付勢し、スプール軸１３の前部に取り付けた操作ノブ４０を緩めることでスプール１０の係合部２３と回り止め係止部２２ａとの係合状態を離間解除してスプール１０を回転可能としている。【選択図】図２
2005185163.tif 000002
【特許請求の範囲】
【請求項１】
リール本体に設けたハンドルの回転操作で連動回転するロータの釣糸案内部を介してスプール軸の前部に設けたスプールに釣糸を巻回する魚釣用スピニングリールにおいて、
前記スプール軸の前方に設けた支持部の前部にスプールを止め回りするための回り止め係止部を形成し、該回り止め係止部を前記スプールの内側基部に形成した係合部に係合可能とするとともに、前記回り止め係止部と係合部とを常時離間する方向に付勢し、前記スプール軸の前部に取り付けた締結部材を緩めることでスプールの前記係合部と前記回り止め係止部との係合状態を離間解除して前記スプールを回転可能としたことを特徴とする魚釣用スピニングリール。
【発明の詳細な説明】
【技術分野】
【０００１】
本発明は、ハンドル操作で連動回転するロータの釣糸案内部を介してスプールに釣糸を巻回する魚釣用スピニングリールの改良に関する。
【背景技術】
【０００２】
一般に、魚釣用スピニングリールを投げ釣りに用いる場合、釣人は、釣竿の先端から錘までの釣糸の長さ（以下、「垂らし長さ」という）を自分が投げ易い長さに調整した状態で、釣糸放出操作を行なう。この「垂らし長さ」は、飛距離（仕掛けの遠投能力）を決定付ける重要な要素であるが、一度の設定で適正に決定することは難しい。これは、竿先からの釣糸の出量（「垂らし長さ」）を調節するためにロータを回すと、スプール、ベールアーム、ベールアームレバー、ハンドル等の位置関係が変わってしまうためであり、これらが適切な位置関係を成さないと、キャスティングをうまく行なうことが難しくなる。
【０００３】
特にドラグ機構が付いていない（スプール軸に対してスプールが回り止めされている）魚釣用スピニングリールの場合、釣人は、「垂らし長さ」を微妙に調整するため、釣糸放出操作前に、スプールの前部のツマミを外して、スプールをスプール軸から取り外すとともに、所望の「垂らし長さ」となるように釣糸をスプールから必要量だけ繰り出した後、再びスプールをスプール軸にセットする等の煩雑な作業を行なわなければならない。
【０００４】
そのため、スプールを取り外すことなく「垂らし長さ」の調節作業を容易に行なえるように、スプールをリール本体側に押し込んで移動させることによりスプール軸に対するスプールの回り止め状態を解除できるようにした技術が特許文献１に開示されている。このような構成では、スプールを取り外すことなくスプールをリール本体側に押し込んで移動させるだけで、スプールを回転させて「垂らし長さ」を調節することができる。
【特許文献１】実公平７−３７５０２号公報
【発明の開示】
【発明が解決しようとする課題】
【０００５】
特許文献１に開示されている構成は、スプールの前壁に嵌合孔を形成し、この嵌合孔に嵌合してスプールを回り止めする回り止め嵌合部が形成されたスプール受けをスプール軸に固定するとともに、前記回り止め嵌合部と前記嵌合孔とが常時嵌合するようにスプールを前方に向けてバネ付勢した構成である。
【０００６】
したがって、「垂らし長さ」の調整作業を行なう場合には、スプールの前記嵌合孔とスプール受けの前記回り止め嵌合部との嵌合状態を解除するために、スプールをバネ力に抗して後方（リール本体側）に押し込み、その状態で、スプールを回転させて、所望の「垂らし長さ」となるようにスプールから釣糸を必要量だけ繰り出すことになる。
【０００７】
しかしながら、上記構成では、スプール軸に対してスプールを回り止めした状態（前記回り止め嵌合部と前記嵌合孔とを嵌合させた状態）においても、常に、スプールがバネ力の作用で或はバネ力に抗してスプール軸の軸方向に移動できるため、軸方向に力が作用する釣糸巻取操作時等において、スプール軸に対するスプールの軸方向位置が安定しない。そのため、スプールに対する釣糸の巻き取り状態が均一にならず、結果的に、釣糸放出操作を円滑で支障無く行なうことができなくなるとともに、釣糸放出操作時におけるスプールの微動や振動によってノイズが発生し易いなど、幾つかの問題が生じる。
【０００８】
本発明は、前記事情に着目してなされたものであり、その目的とするところは、スプール軸に対してスプールが回り止めされた状態においてはスプール軸に対するスプールの軸方向位置が安定し、釣糸巻取操作や釣糸放出操作を確実且つ円滑に行なうことができる魚釣用スピニングリールを提供することにある。
【課題を解決するための手段】
【０００９】
前記課題を解決するために、本発明は、リール本体に設けたハンドルの回転操作で連動回転するロータの釣糸案内部を介してスプール軸の前部に設けたスプールに釣糸を巻回する魚釣用スピニングリールにおいて、前記スプール軸の前方に設けた支持部の前部にスプールを止め回りするための回り止め係止部を形成し、該回り止め係止部を前記スプールの内側基部に形成した係合部に係合可能とするとともに、前記回り止め係止部と係合部とを常時離間する方向に付勢し、前記スプール軸の前部に取り付けた締結部材を緩めることでスプールの前記係合部と前記回り止め係止部との係合状態を離間解除して前記スプールを回転可能としたことを特徴とする。
【発明の効果】
【００１０】
本発明に係る魚釣用スピニングリールによれば、スプール軸に対してスプールが回り止めされた状態においてはスプール軸に対するスプールの軸方向位置が安定し、釣糸巻取操作や釣糸放出操作を確実且つ円滑に行なうことができる。
【発明を実施するための最良の形態】
【００１１】
以下、図面を参照しながら、本発明の一実施形態について説明する。  
図１に示されるように、本実施形態の魚釣用スピニングリール１は、リール本体１ａと、リール本体１ａから延出する脚部１ｂと、脚部１ｂの端部に形成され且つ釣竿Ａに取り付けられる竿取付部１ｃとを有している。なお、以下において、リール１における「先端」または「前」とは、リール１が釣竿Ａに取り付けられた状態で釣竿Ａの先端に面する方向を意味し、一方、リール１における「基端」または「後」とは、リール１が釣竿Ａに取り付けられた状態で釣竿Ａの竿尻に面する方向を意味するものとする。
【００１２】
リール本体１ａには、公知の機構によってハンドル５の回転操作に連動回転するロータ８と、ハンドル５の回転操作によって前後動するスプール軸１３の先端部（前部）に取り付けられ且つ釣糸が巻回されるスプール１０とが支持されている。また、ロータ８には、図示しない釣糸案内部を有するベール支持部材６０を介して、ベール６が釣糸放出（繰出）位置と釣糸巻取位置とに反転回動自在に支持されている。
【００１３】
このような構成では、ベール６を釣糸放出位置に反転操作して、釣糸を前記釣糸案内部から外した状態で、釣竿Ａを振り下ろす（キャスティングする）と、スプール１０に巻回された釣糸が放出（仕掛けが投擲）される。次に、この状態から、ハンドル５を回転操作すると、ベール６が釣糸巻取位置に反転復帰するとともに、スプール１０が前後に往復動しながら、ロータ８が回転駆動する。したがって、スプール１０には、前記釣糸案内部を介して、釣糸が均等に巻回される。
【００１４】
また、本実施形態の魚釣用スピニングリール１には、スプール軸１３とスプール１０との間に、スプール１０をスプール軸１３から取り外すことなく回転させて「垂らし長さ」を調節することができる調節機構が設けられている。この調節機構は、特に図４に明確に示されるように、スプール軸１３の前方（先端側）に設けられた支持部としての位置決め部材２０と、位置決め部材２０の前部に設けられ且つスプール１０を止め回りするための回り止め係止部２２ａが形成された回り止め部材２２と、スプール１０の内側基部を成す前壁１０ａに形成され且つ回り止め係止部２２ａと係合可能な係合部２３と、回り止め部材２０とスプール１０の前壁１０ａとの間に介挿され且つ回り止め係止部２２ａと係合部２３とを離間させる方向（回り止め係止部２２ａと係合部２３との係合状態を解除させる方向）に常時付勢する付勢手段としてのコイルバネ２５とを備えている。
【００１５】
支持部としての位置決め部材２０は、非円形の嵌合穴２０ａを中心に有しており、円形断面のスプール軸１３の前部を切り欠いて成る非円形の回り止め嵌合部１３ａと前記嵌合穴２０ａとが嵌合することにより、スプール軸１３に対して回り止めされるとともに、回り止め嵌合部１３ａの後端に形成された段部３０に当て付くことにより、スプール軸１３に対する軸方向挿通量が規制され、前方に位置するスプール１０のスプール軸１３上における軸方向位置を規定するようになっている。
【００１６】
また、位置決め部材２０の前部に設けられる回り止め部材２２は、非円形の嵌合穴２２ｂを中心に有しており、位置決め部材２０と同様、その嵌合穴２２ｂがスプール軸１３の回り止め嵌合部１３ａと嵌合することにより、スプール軸１３に対して回り止めされる。また、回り止め部材２２の前面には、一対の突起３２，３２から成る回り止め係止部２２ａが設けられている。この場合、突起３２，３２は、嵌合穴２２ｂを挟んで互いに略同一直線上に位置して設けられている。なお、回り止め部材２２と位置決め部材２０との間には、回り止め部材２２およびその前方に位置するスプール１０の軸方向位置を調整するための調整ワッシャ２９が回り止めされた状態で介挿されている。
【００１７】
スプール１０の前壁１０ａには、回り止め部材２２に向けて突出する円筒状の突出部３５が形成されている。また、突出部３５の基端面には、図３にも示されるように、放射状に切り欠かれた複数（図では６個）の凹部３７が形成されている。そして、互いに同一直線上に位置する任意の一対の凹部３７が、一対の突起（凸部）３２，３２から成る回り止め係止部２２ａと係止可能な係合部２３を構成するようになっている。なお、突出部３５の内孔３５ａは、円形断面のスプール軸１３と嵌合するとともに、スプール軸１３に対して回転可能となるように円形状を成している。
【００１８】
また、回り止め部材２０とスプール１０との間に介挿されるコイルバネ２５は、その一端がスプール１０の前壁１０ｂに当て付いて支持されるとともに、その他端が回り止め部材２２の前面に当て付いて支持される。
【００１９】
また、図１に示されるように、スプール１０の前壁１０ａを貫通して前方に延びるスプール軸１３の先端ネジ部１３ｂには、手の指で操作できる締結部材としての操作ノブ（摘み）４０が螺合されている。
【００２０】
次に、図２を参照しながら、上記構成の魚釣用スピニングリールの作用について説明する。
【００２１】
まず、通常の使用状態においては、図２の（ａ）に示されるように、コイルバネ２５の付勢力に抗して操作ノブ４０を締め込んで（操作ノブ４０をスプール軸１３の先端ネジ部１３ｂに十分に螺合させて）、回り止め部材２２の回り止め係止部２２ａ（凸部３２）とスプール１０の係合部２３（凹部３７）とを係合させる。
【００２２】
この状態では、スプール軸１３に対して回り止めされた回り止め部材２２にスプール１０が凹凸嵌合によって結合されるため、スプール１０はスプール軸１３に対して回転することができない。また、この状態では、操作ノブ４０の締め込み作用により、互いに機械的に結合される回り止め部材２２とスプール１０との間でコイルバネ２５が圧縮状態で収容されてその伸長が規制されるとともに、位置決め部材２０を介して軸方向位置が規定された回り止め部材２２に対してスプール１０が凹凸結合により当て付けられるため、スプール１０は、操作ノブ４０と回り止め部材２２との間にほぼ隙間無く完全に挟み込まれ、コイルバネ２５の付勢力により或はコイルバネ２５の付勢力に抗してスプール軸１３の軸方向に移動することができない。
【００２３】
一方、釣糸の「垂らし長さ」を調整する場合には、操作ノブ４０の締結状態を所定量だけ緩める。これにより、スプール１０は、コイルバネ２５の付勢力により操作ノブ４０と共に前方に移動され、回り止め部材２２との係合状態が解除される（回り止め部材２２の回り止め係止部２２ａとスプール１０の係合部２３との係合状態が解除される）。すなわち、スプール軸１３に対してスプール１０を回転させることができるようになる。したがって、この状態で、スプール１０をいずれか一方向に回転させて、釣糸をスプール１０から必要量だけ繰り出し或いは釣糸をスプール１０に必要量だけ巻き取れば、「垂らし長さ」を所望量に調整することができる。
【００２４】
以上説明したように、本実施形態の魚釣用スピニングリール１は、スプール軸１３の前方に設けた支持部としての位置決め部材２０の前部にスプール１０を止め回りするための回り止め係止部２２ａを形成し、この回り止め係止部２２ａをスプール１０の内側基部に形成した係合部２３に係合可能とするとともに、回り止め係止部２２ａと係合部２３とを常時離間する方向に付勢し、スプール軸１３の前部に取り付けた操作ノブ４０を緩めることでスプール１０の係合部２３と回り止め係止部２２ａとの係合状態を離間解除してスプール１０を回転可能としている。具体的には、スプール軸１３に対してスプール１０を回り止めした通常の使用状態（回り止め係止部２２ａと係止部２３とを係合させた状態）においては、スプール１０がコイルバネ２５の付勢力により或はコイルバネ２５の付勢力に抗してスプール軸１３の軸方向に移動できないようになっている。したがって、軸方向に力が作用する釣糸巻取操作時等において、スプール軸１３に対するスプール１０の軸方向位置が安定するため、スプール１０に対する釣糸の巻き取り状態を常に均一に維持でき、結果的に、釣糸放出操作を円滑で支障無く行なうことができるようになるとともに、釣糸放出操作時におけるスプール１０の微動や振動によってノイズが発生することも無くなる。
【００２５】
一方、スプール１０を回転させて「垂らし長さ」を調節したい場合には、スプール１０を取り外すことなく、単に操作ノブ４０を緩めるだけで済むため、「垂らし長さ」の調節が非常に簡単である。
【００２６】
また、操作ノブ４０を緩めた「垂らし長さ」調節状態においても、操作ノブ４０とスプール軸１３との螺合状態を維持することができるため、「垂らし長さ」調節作業時におけるスプール軸１３からのスプール１０の脱落を確実に防止することができる。
【００２７】
なお、本発明は、前述した実施形態に限定されるものではなく、その要旨を逸脱しない範囲で種々変形して実施できることは言うまでもない。例えば、前述した実施形態では、回り止め係止部２２ａと係合部２３とを常時離間する方向に付勢する付勢手段としてコイルバネ２５が使用されているが、このような付勢手段としては、バネ以外に磁石等を挙げることができる。また、前述した実施形態では、回り止め係止部２２ａが凸状を成し、係合部２３が凹状を成しているが、これらの凹凸関係が逆であっても構わない。また、凸部や凹部の形状および数も、前述した実施形態における形状および数に限定されない。また、前述した実施形態では、操作ノブ４０が螺合ノブとして形成されているが、このようなノブとしては、カム状のノブなど、様々な形態のノブを採用することができる
【産業上の利用可能性】
【００２８】
本発明は、「垂らし長さ」の調節を必要とする様々な種類の魚釣用リールに適用することができる。
【図面の簡単な説明】
【００２９】
【図１】本発明の一実施形態に係る魚釣用スピニングリールの一部断面を有する側面図である。
【図２】（ａ）はスプール軸に対してスプールを回り止めした通常の使用状態における図１の魚釣用スピニングリールの一部断面を有する要部側面図、（ｂ）はスプール軸に対するスプールの回り止め状態を解除した「垂らし長さ」調節時における図１の魚釣用スピニングリールの一部断面を有する要部側面図である。
【図３】図１のＡ−Ａ線に沿う断面図である。
【図４】「垂らし長さ」を調節することができる調節機構の分解斜視図である。
【符号の説明】
【００３０】
１    魚釣用スピニングリール
１０    スプール
１３    スプール軸
２０    位置決め部材
２２ａ    回り止め係止部
２３    係合部
２５    コイルバネ
４０    操作ノブ（締結部材）
【図１】
2005185163.tif 000003
【図２】
2005185163.tif 000004
【図３】
2005185163.tif 000005
【図４】
2005185163.tif 000006